(57)【特許請求の範囲】
【請求項１】
制御信号により再生速度の変更が可能な再生装置と、制御信号に従って記録速度の制御が可能で、前記再生装置で再生されたデータを記録媒体に記録する複数の記録装置に接続される、ダビング装置であって、
再生用媒体に記録されている所定のデータを複数の記録用媒体にダビングする際のダビング速度を設定する設定手段と、
再生用媒体に記録されているデータを再生する前記再生装置に、制御信号を送って、前記設定手段で設定されたダビング速度で所定のデータを再生させる再生制御手段と、
前記再生装置が再生したデータを記録用媒体に記録する複数の前記記録装置に制御信号を送って、前記設定手段で設定されたダビング速度でデータを記録させる記録制御手段と、
から構成され、
複数の前記記録装置は、互いに異なる最大記録速度を有し、
前記設定手段は、データを記録している複数の記録装置の中で最大記録速度の最も遅い記録装置が記録動作を停止する場合、又は、データを記録している記録装置よりも最大記録速度の遅い記録装置が記録動作を開始する場合に、前記ダビング速度を、記録動作の停止後、又は、記録動作の開始後においてデータを記録している複数の記録装置の中で最大記録速度の最も遅い記録装置の最大記録速度に変更する速度変更手段を備え、
前記再生制御手段は、前記再生装置に制御信号を送って、前記速度変更手段で変更したダビング速度で再生させる手段を含み、
前記記録制御手段は、前記記録装置に制御信号を送って、前記速度変更手段で変更したダビング速度で記録させる手段を含む、
ことを特徴とする再生装置と複数の記録装置を制御するダビング装置。
【請求項２】
前記設定手段は、
前記記録装置が記録動作を停止する際、該記録装置の最大記録速度がデータを記録している記録装置が有する最大記録速度の中で一番遅いか否かを判別する第１判別手段と、
前記第１判別手段が記録動作を停止する前記記録装置の最大記録速度は一番遅いと判別した場合に、記録動作を継続する記録装置が有する最大記録速度の中で最も遅い最大記録速度を前記ダビング速度として設定する第１速度変更手段と、
を備える、ことを特徴とする請求項１に記載のダビング装置。
【請求項３】
前記設定手段は、
ダビングの途中で新たな記録装置が記録動作を開始する際、該記録装置の最大記録速度が記録動作を継続する記録装置の最大記録速度よりも遅いか否かを判別する第２判別手段と、
前記第２判別手段が新たな前記記録装置の最大記録速度は記録動作を継続する記録装置の最大記録速度よりも遅いと判別した場合に、前記ダビング速度を新たな該記録装置が有する最大記録速度に変更する第２速度変更手段と、
を備える、ことを特徴とする請求項１又は２に記載のダビング装置。
【請求項４】
制御信号により再生速度の変更が可能な再生装置と、制御信号に従って記録速度の制御が可能で、前記再生装置で再生されたデータを記録媒体に記録する複数の記録装置とによるダビング動作を制御するダビング方法であって、
再生用媒体に記録されている所定のデータを複数の記録用媒体にダビングする際のダビング速度を設定する設定工程と、
再生用媒体に記録されているデータを再生する再生装置に、制御信号を送って、前記設定工程で設定されたダビング速度で所定のデータを再生させる再生制御工程と、
前記再生装置が再生したデータを記録用媒体に記録する複数の記録装置に、制御信号を送って、前記設定工程で設定された前記ダビング速度でデータを記録させる記録制御工程と、
を備え、
複数の前記記録装置は、互いに異なる最大記録速度を有し、
前記設定工程は、データを記録している複数の記録装置の中で最大記録速度の最も遅い記録装置が記録動作を停止する場合、又は、データを記録している記録装置よりも最大記録速度の遅い記録装置が記録動作を開始する場合に、前記再生装置と前記記録装置にそれぞれ制御信号を送って、前記ダビング速度を、記録動作の停止後、又は、記録動作の開始後においてデータを記録している複数の記録装置の中で最大記録速度の最も遅い記録装置の最大記録速度に変更する速度変更工程を備え、
前記再生制御工程は、前記再生装置に制御信号を送って、前記速度変更工程で変更したダビング速度で再生させる工程を含み、
前記記録装置とに制御信号を送って、変更したダビング速度で記録させる工程を含む、
ことを特徴とする再生装置と複数の記録装置を制御するダビング方法。
【請求項５】
前記設定工程は、
前記記録装置が記録動作を停止する際、該記録装置の最大記録速度がデータを記録している記録装置が有する最大記録速度の中で一番遅いか否かを判別する第１判別工程と、
前記第１判別工程で記録動作を停止する前記記録装置の最大記録速度は一番遅いと判別した場合に、記録動作を継続する記録装置が有する最大記録速度の中で最も遅い最大記録速度を前記ダビング速度として設定する第１速度変更工程と、
を備える、ことを特徴とする請求項４に記載のダビング方法。
【請求項６】
前記設定工程は、
ダビングの途中で新たな記録装置が記録動作を開始する際、該記録装置の最大記録速度が記録動作を継続する記録装置の最大記録速度よりも遅いか否かを判別する第２判別工程と、
前記第２判別工程で新たな前記記録装置の最大記録速度は記録動作を継続する記録装置の最大記録速度よりも遅いと判別した場合に、前記ダビング速度を新たな該記録装置が有する最大記録速度に変更する第２速度変更工程と、
を備える、ことを特徴とする請求項４又は５に記載のダビング方法。
【請求項７】
制御信号により再生速度の変更が可能な再生装置と、互いに異なる最大記録速度を有し制御信号に従って記録速度の制御が可能で、前記再生装置で再生されたデータを記録媒体に記録する複数の記録装置とに接続可能なコンピュータを、
再生用媒体に記録されている所定のデータを複数の記録用媒体にダビングする際のダビング速度を設定する設定手段と、
前記再生装置に制御信号を送って、前記設定手段で設定された前記ダビング速度で再生用媒体に記録されているデータを再生させる再生制御手段と、
制御信号に従って記録速度の変更が可能で、且つ、前記再生装置が再生したデータを受信するように接続された複数の記録装置に、制御信号を送って、前記設定手段で設定された前記ダビング速度で、前記再生装置からのデータを記録媒体に記録させる記録制御手段と、
として機能させ、
さらに、前記設定手段に、データを記録している複数の記録装置の中で最大記録速度の最も遅い記録装置が記録動作を停止する場合、又は、データを記録している記録装置よりも最大記録速度の遅い記録装置が記録動作を開始する場合に、前記ダビング速度を、記録動作の停止後、又は、記録動作の開始後においてデータを記録している複数の記録装置の中で最大記録速度の最も遅い記録装置の最大記録速度に変更するように動作させ、
前記再生制御手段に、前記再生装置に制御信号を送って、前記速度変更手段で変更したダビング速度で再生させ、
前記記録制御手段に、前記記録装置に制御信号を送って、前記速度変更手段で変更したダビング速度で記録させる、
ためのプログラムを記録したコンピュータ読み取り可能な記録媒体。
【発明の詳細な説明】
【０００１】
【発明の属する技術分野】
本発明は、データをダビングするダビング装置及びダビング方法に関する。また、本発明は、データをダビングするためのプログラムを記録した記録媒体に関する。
【０００２】
【従来の技術】
データの記録及び再生を行う記録再生装置を１台又は複数台用いることにより、ＣＤ（Compact Disc）、ＤＶＤ（Digital Versatile Disc）、ＭＤ（Mini Disc ）、個体メモリ、カセットテープ等の記録媒体に記録されているデータを他の記録媒体にコピー（ダビング）することができる。
【０００３】
記録再生装置の中には、通常の速度でしかデータの記録及び再生を行うことができないものや、２倍速又は４倍速といった高速でデータの記録及び再生を行うことができるものがある。このように、記録再生装置の種類等によって、データを記録再生可能な最大の速度（最大記録再生速度）が異なる。このため、複数の記録再生装置を用いて１つの記録媒体から複数の記録媒体にデータをダビングする場合、そのダビング速度は最も遅い最大記録再生速度に合わせて設定される。
【０００４】
【発明が解決しようとする課題】
しかし、上記した方法では、ダビング速度を最大記録再生速度の最も遅いものに合わせているので、ダビングの途中で最大記録再生速度が最も遅い記録再生装置の記録動作を停止させた場合も、同じ速度のままダビングが継続される。このため、所定データのダビングが終了するまでに必要以上の時間がかかってしまう場合があり、非常に効率が悪いという問題がある。
【０００５】
従って、本発明は、効率よくデータをダビングするダビング装置及びダビング方法を提供することを目的とする。また、本発明は、効率よくデータをダビングするためのプログラムを記録した記録媒体を提供することを目的とする。
【０００６】
【課題を解決するための手段】
上記目的を達成するために、本発明の第１の観点にかかるダビング装置は、
再生装置と複数の記録装置を制御するものであり、
制御信号により再生速度の変更が可能な再生装置と、制御信号に従って記録速度の制御が可能で、前記再生装置で再生されたデータを記録媒体に記録する複数の記録装置に接続される、ダビング装置であって、
再生用媒体に記録されている所定のデータを複数の記録用媒体にダビングする際のダビング速度を設定する設定手段と、
再生用媒体に記録されているデータを再生する前記再生装置に、制御信号を送って、前記設定手段で設定されたダビング速度で所定のデータを再生させる再生制御手段と、
前記再生装置が再生したデータを記録用媒体に記録する複数の前記記録装置に制御信号を送って、前記設定手段で設定されたダビング速度でデータを記録させる記録制御手段と、
から構成され、
複数の前記記録装置は、互いに異なる最大記録速度を有し、
前記設定手段は、データを記録している複数の記録装置の中で最大記録速度の最も遅い記録装置が記録動作を停止する場合、又は、データを記録している記録装置よりも最大記録速度の遅い記録装置が記録動作を開始する場合に、前記ダビング速度を、記録動作の停止後、又は、記録動作の開始後においてデータを記録している複数の記録装置の中で最大記録速度の最も遅い記録装置の最大記録速度に変更する速度変更手段を備え、
前記再生制御手段は、前記再生装置に制御信号を送って、前記速度変更手段で変更したダビング速度で再生させる手段を含み、
前記記録制御手段は、前記記録装置に制御信号を送って、前記速度変更手段で変更したダビング速度で記録させる手段を含む、
ことを特徴とする。
この発明によれば、効率よくデータをダビングすることができる。
【０００７】
前記設定手段は、前記記録装置が記録動作を停止する際、該記録装置の最大記録速度がデータを記録している記録装置が有する最大記録速度の中で一番遅いか否かを判別する第１判別手段と、前記第１判別手段が記録動作を停止する前記記録装置の最大記録速度は一番遅いと判別した場合に、記録動作を継続する記録装置が有する最大記録速度の中で最も遅い最大記録速度を前記ダビング速度として設定する第１速度変更手段と、を備えてもよい。
【０００８】
前記設定手段は、ダビングの途中で新たな記録装置が記録動作を開始する際、該記録装置の最大記録速度が記録動作を継続する記録装置の最大記録速度よりも遅いか否かを判別する第２判別手段と、前記第２判別手段が新たな前記記録装置の最大記録速度は記録動作を継続する記録装置の最大記録速度よりも遅いと判別した場合に、前記ダビング速度を新たな該記録装置が有する最大記録速度に変更する第２速度変更手段と、を備えてもよい。
【０００９】
本発明の第２の観点にかかるダビング方法は、
再生装置と複数の記録装置を制御するものであり、
制御信号により再生速度の変更が可能な再生装置と、制御信号に従って記録速度の制御が可能で、前記再生装置で再生されたデータを記録媒体に記録する複数の記録装置とによるダビング動作を制御するダビング方法であって、
再生用媒体に記録されている所定のデータを複数の記録用媒体にダビングする際のダビング速度を設定する設定工程と、
再生用媒体に記録されているデータを再生する再生装置に、制御信号を送って、前記設定工程で設定された前記ダビング速度で所定のデータを再生させる再生制御工程と、
前記再生装置が再生したデータを記録用媒体に記録する複数の記録装置に、前記ダビング速度でデータを記録させる記録制御工程と、を備え、
複数の前記記録装置は、互いに異なる最大記録速度を有し、
前記設定工程は、データを記録している複数の記録装置の中で最大記録速度の最も遅い記録装置が記録動作を停止する場合、又は、データを記録している記録装置よりも最大記録速度の遅い記録装置が記録動作を開始する場合に、前記再生装置と前記記録装置にそれぞれ制御信号を送って、前記ダビング速度を、記録動作の停止後、又は、記録動作の開始後においてデータを記録している複数の記録装置の中で最大記録速度の最も遅い記録装置の最大記録速度に変更する速度変更工程を備え、前記再生制御工程は、前記再生装置に制御信号を送って、前記速度変更工程で変更したダビング速度で再生させる工程を含み、前記記録装置とに制御信号を送って、変更したダビング速度で記録させる工程を含む、
ことを特徴とする。
【００１０】
前記設定工程は、前記記録装置が記録動作を停止する際、該記録装置の最大記録速度がデータを記録している記録装置が有する最大記録速度の中で一番遅いか否かを判別する第１判別工程と、前記第１判別工程で記録動作を停止する前記記録装置の最大記録速度は一番遅いと判別した場合に、記録動作を継続する記録装置が有する最大記録速度の中で最も遅い最大記録速度を前記ダビング速度として設定する第１速度変更工程と、を備えてもよい。
【００１１】
前記設定工程は、ダビングの途中で新たな記録装置が記録動作を開始する際、該記録装置の最大記録速度が記録動作を継続する記録装置の最大記録速度よりも遅いか否かを判別する第２判別工程と、前記第２判別工程で新たな前記記録装置の最大記録速度は記録動作を継続する記録装置の最大記録速度よりも遅いと判別した場合に、前記ダビング速度を新たな該記録装置が有する最大記録速度に変更する第２速度変更工程と、を備えてもよい。
【００１２】
本発明の第３の観点にかかるコンピュータ読み取り可能な記録媒体は、
制御信号により再生速度の変更が可能な再生装置と、互いに異なる最大記録速度を有し制御信号に従って記録速度の制御が可能で、前記再生装置で再生されたデータを記録媒体に記録する複数の記録装置とに接続可能なコンピュータを、
再生用媒体に記録されている所定のデータを複数の記録用媒体にダビングする際のダビング速度を設定する設定手段と、
前記再生装置に制御信号を送って、前記設定手段で設定された前記ダビング速度で所定のデータを再生させる再生制御手段と、
制御信号に従って記録速度の変更が可能で、且つ、前記再生装置が再生したデータを受信するように接続された複数の記録装置に、制御信号を送って、前記設定手段で設定された前記ダビング速度で、前記再生装置からのデータを記録媒体に記録させる記録制御手段と、
として機能させ、
さらに、前記設定手段に、データを記録している複数の記録装置の中で最大記録速度の最も遅い記録装置が記録動作を停止する場合、又は、データを記録している記録装置よりも最大記録速度の遅い記録装置が記録動作を開始する場合に、前記ダビング速度を、記録動作の停止後、又は、記録動作の開始後においてデータを記録している複数の記録装置の中で最大記録速度の最も遅い記録装置の最大記録速度に変更するように動作させ、
前記再生制御手段に、前記再生装置に制御信号を送って、前記速度変更手段で変更したダビング速度で再生させ、
前記記録制御手段に、前記記録装置に制御信号を送って、前記速度変更手段で変更したダビング速度で記録させる、
ためのプログラムを記録している。
【００１３】
【発明の実施の形態】
次に、本発明の実施の形態にかかるオーディオシステムについて図面を参照して説明する。
本発明の実施の形態にかかるオーディオシステムは、図１に示すように、再生装置１と、複数の記録装置２と、から構成されている。このオーディオシステムは、後述するようにして、再生装置１に収納された記録媒体に記録されている所定のデータを記録装置２に収納された記録媒体にコピー（ダビング）する。
【００１４】
再生装置１は、ＣＤ（Compact Disc）、ＭＤ（Mini Disc ）、及び、ＤＶＤ（Digital Versatile Disc）等の記録媒体を収納し、記録媒体に記録されている所定のデータを所定の速度で再生する。この再生装置１は、図２（ａ）に示すように、入力部１１と、再生部１２と、送受信部１３と、表示部１４と、記憶部１５と、制御部１６と、から構成されている。
【００１５】
入力部１１は、複数の入力ボタン等を備え、再生装置１の利用者により操作される。入力部１１は、利用者の所定操作に従って、ダビングの開始を指示するダビング開始信号、ダビングの停止を指示するダビング停止信号、及び、ダビングの途中でダビング先となる記録媒体の追加を指示する追加信号等を制御部１６に出力する。
【００１６】
再生部１２は、所定枚数の記録媒体を収納し、収納した記録媒体に記録されている所定のデータを所定の速度で再生する。なお、再生部１２は、再生装置１に接続される記録装置２の記録動作よりも速い速度でデータを再生することができる。
【００１７】
送受信部１３は、接続端子を備え、ケーブル等により記録装置２に接続される。送受信部１３は、再生部１２が再生したデータをケーブル等を介して記録装置２に送信する。また、送受信部１３は、最適な速度でダビングを行うための信号や情報等を記録装置２との間で送受信する。
【００１８】
表示部１４は、液晶パネル等を備え、再生装置１の動作状況やダビングの進行状況等を所定の文字列やマーク等により表示する。
記憶部１５は、ＲＡＭ（Random Access Memory）等から構成され、各記録装置２から供給される装置情報を記憶する。装置情報は、記録装置２がデータを記録することができる最大の記録速度を示す情報である。
【００１９】
制御部１６は、再生装置１を構成する上記各部の動作を制御する。また、制御部１６は、送受信部１３を介して記録装置２の記録動作を制御する。なお、制御部１６の詳しい動作については後述する。
【００２０】
この記録装置２は、制御信号によって記録速度を制御できるものであり、従来技術で説明した記録装置と同様に、例えば、ＣＤ（Compact Disc）、ＤＶＤ（Digital Versatile Disc）、ＭＤ（Mini Disc ）、個体メモリ、等の記録媒体にコピー（ダビング）する。
記録装置２は、それぞれ同一の構成を有する。具体的には、図２（ｂ）に示すように、各記録装置２は、操作部２１と、送受信部２２と、記録部２３と、制御部２４と、から構成されている。但し、記録装置２は、その種類等によって最大記録速度が異なる。
【００２１】
操作部２１は、複数の操作ボタン等を備え、記録装置２の動作を制御するために記録装置２の利用者により操作される。
送受信部２２は、接続端子を備え、ケーブル等により再生装置１に接続される。送受信部２２は、ケーブル等を介して再生装置１から供給されるデータを受信する。また、送受信部２２は、最適な速度でダビングを行うための様々な信号や情報等を再生装置１との間で送受信する。
【００２２】
記録部２３は、所定枚数の記録媒体を収納し、送受信部２２が受信する再生装置１からのデータを所定の速度で記録する。
制御部２４は、記録装置２を構成する上記各部の動作を制御し、所定データのダビングを効率よく行う。
【００２３】
次に、以上のように構成されたオーディオシステムの動作について説明する。
（１）所定データのダビング
始めに、再生装置１に収納された記録媒体から記録装置２に収納された記録媒体に所定のデータをダビングする場合について説明する。
【００２４】
オーディオシステムの利用者は、始めに、再生装置１と各記録装置２とをそれぞれケーブル等により接続する。
再生装置１の制御部１６は、例えば送受信部１３が備える接続端子の電位変化等から、ケーブル等を介して記録装置２が接続されたことを検出する。
【００２５】
また、各記録装置２の制御部２４は、例えば送受信部２２が備える接続端子の電位変化等から、ケーブル等を介して再生装置１が接続されたことを検出する。そして、各記録装置２の制御部２４は、上記最大記録速度を示す装置情報を送受信部２２を介して再生装置１に出力する。
【００２６】
再生装置１の制御部１６は、各記録装置２から供給される装置情報を送受信部１３を介して受信し、記憶部１５に記憶させる。
また、制御部１６は、表示部１４を制御し、装置情報を供給してきた記録装置２、即ち、再生装置１に接続されている記録装置２の一覧を表示する。
【００２７】
オーディオシステムの利用者は、入力部１１を所定の手順で操作し、表示部１４が表示する記録装置２の一覧から、データのダビングに用いる記録装置２を選択する。
また、利用者は、入力部１１を所定の手順で操作し、ダビングするデータ及びダビングする順番等を入力する。
【００２８】
そして、利用者は、所定データのダビングを行うために、入力部１１の所定ボタンを押下する。これにより、入力部１１は、ダビングの開始を指示するダビング開始信号を制御部１６に出力する。なお、ダビング開始信号は、利用者が選択した記録装置２、ダビング対象のデータ、及び、ダビングの順番を示す。
制御部１６は、入力部１１から供給されるダビング開始信号に応答して、図３に示すダビング処理を開始する。
【００２９】
始めに、制御部１６は、入力部１１から供給されたダビング開始信号を用いて、再生装置１に接続されている記録装置２の内の１つが利用者により選択されたか否かを判別する（ステップＳ１０１）。例えば、制御部１６は、記憶部１５が記憶している装置情報から最大記録速度最が最も遅い記録装置２を判別し、判別した記録装置２がダビングに用いる記録装置２として利用者により選択されたか否かを判別する。
【００３０】
利用者により選択されなかったと判別した場合（ステップＳ１０１；ＮＯ）、制御部１６は、ステップＳ１０１にリターンし、次に遅い最大記録速度を有する記録装置２について利用者により選択されたか否かを判別する。
一方、利用者により選択されたと判別した場合（ステップＳ１０１；ＹＥＳ）、制御部１６は、この記録装置２が有する最大記録速度をダビング速度として設定する（ステップＳ１０２）。
【００３１】
そして、制御部１６は、再生部１２及び記録装置２を制御して、ステップＳ１０２で設定したダビング速度で、ダビング開始信号が示すデータをダビング開始信号が示す順番でダビングする（ステップＳ１０３）。具体的には、制御部１６は、再生部１２を制御して、設定したダビング速度で、ダビング開始信号が示すデータをダビング開始信号が示す順番で再生させる。また、制御部１６は、設定したダビング速度を示す記録開始信号を、利用者が選択した記録装置２に出力することにより、利用者が選択した記録装置２に所定のデータを設定したダビング速度で記録させる。
以上で、制御部１６が行うダビング処理が終了する。
【００３２】
以上のように、最大記録速度の遅い記録装置２から順に、利用者がダビングに用いる記録装置２として選択したか否かを判別することにより、最も効率の良いダビング速度を決定することができる。これにより、再生装置１に収納された記録媒体に記録されているデータが所定の速度で効率よくダビングされる。
【００３３】
（２）ダビングの停止
次に、特定の記録媒体へのダイビングを停止する場合、即ち、特定の記録装置２が行うデータの記録を停止させる場合の動作について説明する。
【００３４】
始めに、オーディオシステムの利用者は、特定の記録媒体へのダビングを停止するために、再生装置１の入力部１１を所定の手順で操作し、記録動作を停止させる記録装置２を選択する。
【００３５】
入力部１１は、利用者の操作に従って、利用者が選択した記録装置２が行う記録動作の停止を指示するダビング停止信号を制御部１６に出力する。
制御部１６は、入力部１１から供給されるダビング停止信号に応答して、図４に示すダビング停止処理を開始する。
【００３６】
始めに、制御部１６は、再生装置１に接続されている記録装置２の内の１つについてデータを記録中（ダビング中）であるか否かを判別する（ステップＳ２０１）。例えば、制御部１６は、記憶部１５が記憶している装置情報から最大記録速度が最も遅い記録装置２を判別し、判別した記録装置２がデータをダビング中であるか否かを判別する。
【００３７】
ダビング中でないと判別した場合（ステップＳ２０１；ＮＯ）、制御部１６は、ステップＳ２０１にリターンし、次に遅い最大記録速度を有する記録装置２がデータをダビング中であるか否かを判別する。
【００３８】
一方、ダビング中であると判別した場合（ステップＳ２０１；ＹＥＳ）、制御部１６は、この記録装置２が上記ダビング停止信号が示す記録動作を停止させる停止対象の記録装置２であるか否かを判別する（ステップＳ２０２）。
停止対象の記録装置２でないと判別した場合（ステップＳ２０２；ＮＯ）、制御部１６は、次に遅い最大記録速度を有する記録装置２が停止対象の記録装置２であるか否かを判別する（ステップＳ２０３）。
【００３９】
停止対象の記録装置２でないと判別した場合（ステップＳ２０３；ＮＯ）、制御部１６は、ステップＳ２０３にリターンし、次に遅い最大記録速度を有する記録装置２が停止対象の記録装置２であるか否かを判別する。
一方、停止対象の記録装置２であると判別した場合（ステップＳ２０３；ＹＥＳ）、制御部１６は、後述するステップＳ２０７の処理を行う。
【００４０】
上記ステップＳ２０２の処理で停止対象の記録装置２であると判別した場合、（ステップＳ２０２；ＹＥＳ）、制御部１６は、次に遅い最大記録速度を有する記録装置２がデータをダビング中であるか否かを判別する（ステップＳ２０４）。
【００４１】
ダビング中でないと判別した場合（ステップＳ２０４；ＮＯ）、制御部１６は、停止対象の記録装置２よりも最大記録速度が速い全ての記録装置２についてダビング中であるか否かの判別を行ったか否かを判別する（ステップＳ２０５）。
【００４２】
全ての記録装置２について判別を行っていないと判別した場合（ステップＳ２０５；ＮＯ）、制御部１６は、ステップＳ２０４にリターンし、次に遅い最大記録速度を有する記録装置２がダビング中であるか否かを判別する。
一方、全ての記録装置２について判別を行ったと判別した場合（ステップＳ２０５；ＹＥＳ）、制御部１６は、後述するステップＳ２０７の処理を行う。
【００４３】
上記ステップＳ２０４の処理でダビング中であると判別した場合（ステップＳ２０４；ＹＥＳ）、制御部１６は、ダビング中であると判別した記録装置２の最大記録速度をダビング速度として設定し直す、即ち、ダビング速度を変更する（ステップＳ２０６）。
【００４４】
その後、制御部１６は、ダビング停止信号が示す停止対象である記録装置２の記録動作を停止させる（ステップＳ２０７）。具体的には、制御部１６は、記録動作の停止を指示する記録停止信号を送受信部１３を介して停止対象の記録装置２に出力し、停止対象である記録装置２の記録動作を停止させる。
以上で、制御部１６が行うダビング停止処理が終了する。
【００４５】
以上のように、停止対象である記録装置２の最大記録速度がダビング中の記録装置２が有する最大記録速度の中で最も遅い場合には、ダビング速度が変更される。これにより、途中で一部のダビングを停止しても、データのダビングを最適な速度で効率よく継続することができる。
【００４６】
（３）ダビングに用いる記録媒体の追加
次に、データのダビング中にダビング先の記録媒体を追加する場合、即ち、記録動作を停止している記録装置２にデータの記録を開始させる場合の動作について説明する。
【００４７】
始めに、オーディオシステムの利用者は、ダビング先の記録媒体を追加するために、再生装置１の入力部１１を所定の手順で操作し、データの記録動作を開始させる開始対象の記録装置２を選択する。
【００４８】
入力部１１は、利用者の操作に従って、ダビング先となる記録媒体の追加を指示する追加信号を制御部１６に出力する。なお、追加信号は、利用者が選択した開始対象の記録装置２を示す。
制御部１６は、入力部１１から供給される追加信号に応答して、図５に示す媒体追加処理を開始する。
【００４９】
始めに、制御部１６は、再生装置１に接続されている記録装置２の内の１つについて、上記追加信号が示す開始対象の記録装置２であるか否かを判別する（ステップＳ３０１）。例えば、制御部１６は、記憶部１５が記憶している装置情報を用いて最大記録速度が最も遅い記録装置２を判別し、判別した記録装置２が開始対象の記録装置２であるか否かを判別する。
【００５０】
開始対象の記録装置２であると判別した場合（ステップＳ３０１；ＹＥＳ）、制御部１６は、開始対象の記録装置２が有する最大記録速度をダビング速度として設定し直し（ステップＳ３０２）、後述するステップＳ３０５の処理を行う。一方、開始対象の記録装置２でないと判別した場合（ステップＳ３０１；ＮＯ）、制御部１６は、この記録装置２がデータを記録中（ダビング中）であるか否かを判別する（ステップＳ３０３）。
【００５１】
ダビング中でないと判別した場合（ステップＳ３０３；ＮＯ）、制御部１６は、ステップＳ３０１にリターンし、次に遅い最大記録速度を有する記録装置２が開始対象であるか否かを判別する。
一方、ダビング中であると判別した場合（ステップＳ３０３；ＹＥＳ）、制御部１６は、次に遅い最大記録速度を有する記録装置２が開始対象の記録装置２であるか否かを判別する（ステップＳ３０４）。
【００５２】
開始対象の記録装置２でないと判別した場合（ステップＳ３０４；ＮＯ）、制御部１６は、ステップＳ３０４にリターンし、次に遅い最大記録速度を有する記録装置２が開始対象の記録装置２であるか否かを判別する。
【００５３】
一方、開始対象の記録装置２であると判別した場合（ステップＳ３０４；ＹＥＳ）、制御部１６は、開始対象であると判別した記録装置２の記録動作を開始させる（ステップＳ３０５）。具体的には、制御部１６は、記録動作の開始を指示する記録開始信号を送受信部１３を介して開始対象の記録装置２に出力し、開始対象である記録装置２の記録動作を開始させる。
以上で、制御部１６が行う媒体追加処理が終了する。
【００５４】
以上のように、ダビングの途中で記録動作を開始する記録装置２の最大記録速度が既に記録動作を行っている記録装置２の最大記録速度よりも遅い場合は、ダビング速度が変更される。これにより、ダビングの途中で新たな記録装置２の記録動作を開始させても、データのダビングを最適な速度で効率よく継続することができる。
【００５５】
（具体例）
次に、具体例により上記したオーディオシステムの動作を説明する。なお、以下に示す具体例では、図６に示すように、３つの記録装置２（２Ａ，２Ｂ，２Ｃ）が再生装置１に接続されている。また、記録装置２Ａの最大記録速度はａであり、記録装置２Ｂの最大記録速度はｂであり、記録装置２Ｃの最大記録速度はｃである（ａ＞ｂ＞ｃ）。
【００５６】
１．具体例１
始めに、再生装置１に収納された記録媒体から記録装置２Ａ及び２Ｂに収納された記録媒体に所定のデータをダビングする場合について説明する。
オーディオシステムの利用者は、上記したように、再生装置１と各記録装置２とをそれぞれケーブル等により接続する。
【００５７】
再生装置１の制御部１６は、例えば送受信部１３が備える接続端子の電位変化等から、ケーブル等を介して記録装置２が接続されたことを検出する。
また、記録装置２Ａ、２Ｂ、及び、２Ｃの制御部２４は、例えば送受信部２２が備える接続端子の電位変化等から、ケーブル等を介して再生装置１が接続されたことを検出する。
【００５８】
そして、記録装置２Ａ、２Ｂ、及び、２Ｃの制御部２４は、それぞれ装置の最大記録速度を示す装置情報を送受信部２２を介して再生装置１に出力する。
再生装置１の制御部１６は、記録装置２Ａ、２Ｂ、及び、２Ｃからそれぞれ供給される装置情報を送受信部１３を介して受信し、記憶部１５に記憶させる。
【００５９】
また、制御部１６は、表示部１４を制御し、再生装置１に接続されている記録装置２の一覧を表示する。
オーディオシステムの利用者は、入力部１１を所定の手順で操作し、表示部１４が表示する記録装置２の一覧から、データのダビングに用いる記録装置２として記録装置２Ａ及び２Ｂを選択する。
【００６０】
また、利用者は、入力部１１を所定の手順で操作し、ダビングするデータ及びダビングする順番等を入力する。
そして、利用者は、所定データのダビングを行うために、入力部１１の所定ボタンを押下する。これにより、入力部１１は、利用者が選択した記録装置２Ａ及び２Ｂ、ダビング対象のデータ、及び、ダビングの順番を示すダビング開始信号を制御部１６に出力する。
【００６１】
制御部１６は、入力部１１から供給されるダビング開始信号に応答して、図３に示すダビング処理を開始する。
始めに、制御部１６は、入力部１１から供給されたダビング開始信号を用いて、再生装置１に接続されている記録装置２の内の１つが利用者により選択されたか否かを判別する（ステップＳ１０１）。具体的には、制御部１６は、記憶部１５が記憶している装置情報から最大記録速度が最も遅い記録装置２Ｃを判別し、記録装置２Ｃが利用者により選択されたか否かを判別する。
【００６２】
この場合、制御部１６は、記録装置２Ｃは利用者により選択されなかったと判別し（ステップＳ１０１；ＮＯ）、ステップＳ１０１にリターンする。そして、制御部１６は、次に遅い最大記録速度を有する記録装置２Ｂが利用者により選択されたか否かを判別する（ステップＳ１０１）。
【００６３】
制御部１６は、記録装置２Ｂは利用者により選択されたと判別し（ステップＳ１０１；ＹＥＳ）、記録装置２Ｂが有する最大記録速度ｂをダビング速度として設定する（ステップＳ１０２）。
【００６４】
そして、制御部１６は、再生部１２及び記録装置２を制御し、最大記録速度ｂでダビング開始信号が示すデータをダビング開始信号が示す順番でダビングする（ステップＳ１０３）。具体的には、制御部１６は、再生部１２を制御し、最大記録速度ｂでダビング開始信号が示すデータをダビング開始信号が示す順番で再生させる。また、制御部１６は、最大記録速度ｂを示す記録開始信号を、利用者が選択した記録装置２Ａ及び２Ｂに出力することにより、記録装置２Ａ及び２Ｂに所定のデータを最大記録速度ｂで記録させる。
以上で、制御部１６が行うダビング処理が終了する。
【００６５】
以上のように、最大記録速度が小さい記録装置２Ｃから順に、利用者がダビングに用いる記録装置２として選択したか否かを判別することにより、最も効率の良いダビング速度を決定することができる。これにより、再生装置１に収納された記録媒体に記録されている所定のデータが所定の速度で効率よくダビングされる。
【００６６】
２．具体例２
次に、データのダビングを行っている記録装置２Ａ及び２Ｂの内、記録装置２Ｂの記録動作を停止させる場合について説明する。なお、記録装置２Ｃはデータのダビングを行っていない。
【００６７】
始めに、オーディオシステムの利用者は、記録装置２Ｂに収納されている記録媒体へのダビングを停止するために、再生装置１の入力部１１を所定の手順で操作し、記録動作を停止させる記録装置２を選択する。この場合、利用者は、記録装置２Ｂを選択する。
【００６８】
入力部１１は、利用者の操作に従って、記録装置２Ｂが行う記録動作の停止を指示するダビング停止信号を制御部１６に出力する。
制御部１６は、入力部１１から供給されるダビング停止信号に応答して、図４に示すダビング停止処理を開始する。
【００６９】
始めに、制御部１６は、再生装置１に接続されている記録装置２の内の１つについてデータを記録中（ダビング中）であるか否かを判別する（ステップＳ２０１）。具体的には、制御部１６は、記憶部１５が記憶している装置情報から最大記録速度が最も遅い記録装置２Ｃを判別し、記録装置２Ｃがデータをダビング中であるか否かを判別する。
【００７０】
この場合、制御部１６は、記録装置２Ｃはデータをダビング中でないと判別しステップＳ２０１；ＮＯ）、ステップＳ２０１にリターンし、次に遅い最大記録速度を有する記録装置２Ｂがデータをダビング中であるか否かを判別する（ステップＳ２０１）。
【００７１】
制御部１６は、記録装置２Ｂはデータをダビング中であると判別し（ステップＳ２０１；ＹＥＳ）、記録装置２Ｂが上記ダビング停止信号が示す停止対象の記録装置２であるか否かを判別する（ステップＳ２０２）。
この場合、制御部１６は、記録装置２Ｂは停止対象であると判別し（ステップＳ２０２；ＹＥＳ）、次に遅い最大記録速度を有する記録装置２Ａがデータをダビング中であるか否かを判別する（ステップＳ２０４）。
【００７２】
この場合、制御部１６は、記録装置２Ａはデータをダビング中であると判別し（ステップＳ２０４；ＹＥＳ）、記録装置２Ａの最大記録速度ａをダビング速度として設定し直す（ステップＳ２０６）。
【００７３】
その後、制御部１６は、ダビング停止信号が示す停止対象である記録装置２Ｂの記録動作を停止させる（ステップＳ２０７）。具体的には、制御部１６は、記録動作の停止を指示する記録停止信号を送受信部１３を介して記録装置２Ｂに出力し、記録装置２Ｂの記録動作を停止させる。
以上で、制御部１６が行うダビング停止処理が終了する。
【００７４】
以上のように、停止対象である記録装置２の最大記録速度がダビング中の記録装置２が有する最大記録速度の中で最も遅い場合は、ダビング速度が変更される。これにより、途中で一部のダビングを停止しても、データのダビングを最適な速度で効率よく継続することができる。
【００７５】
３．具体例３
次に、データのダビングを行っている記録装置２Ａ、２Ｂ、及び、２Ｃの内、記録装置２Ｂの記録動作を停止させる場合について説明する。
始めに、オーディオシステムの利用者は、上記と同様に、記録装置２Ｂに収納されている記録媒体へのダビングを停止するために、再生装置１の入力部１１を所定の手順で操作し、記録動作を停止させる記録装置２を選択する。この場合、利用者は、記録装置２Ｂを選択する。
【００７６】
入力部１１は、利用者の操作に従って、記録装置２Ｂが行う記録動作の停止を指示するダビング停止信号を制御部１６に出力する。
制御部１６は、入力部１１から供給されるダビング停止信号に応答して、図４に示すダビング停止処理を開始する。
【００７７】
始めに、制御部１６は、再生装置１に接続されている記録装置２の内の１つについてデータを記録中（ダビング中）であるか否かを判別する（ステップＳ２０１）。具体的には、制御部１６は、記憶部１５が記憶している装置情報から最大記録速度が最も遅い記録装置２Ｃを判別し、記録装置２Ｃがデータをダビング中であるか否かを判別する。
【００７８】
制御部１６は、記録装置２Ｃはデータをダビング中であると判別し（ステップＳ２０１；ＹＥＳ）、記録装置２Ｃが上記ダビング停止信号が示す停止対象の記録装置２であるか否かを判別する（ステップＳ２０２）。
この場合、制御部１６は、記録装置２Ｃは停止対象でないと判別し（ステップＳ２０２；ＮＯ）、次に遅い最大記録速度を有する記録装置２Ｂが停止対象の記録装置２であるか否かを判別する（ステップＳ２０３）。
【００７９】
この場合、制御部１６は、記録装置２Ｂは停止対象であると判別し（ステップＳ２０３；ＹＥＳ）、記録装置２Ｂの記録動作を停止させる（ステップＳ２０７）。具体的には、制御部１６は、記録動作の停止を指示する記録停止信号を送受信部１３を介して記録装置２Ｂに出力し、記録装置２Ｂの記録動作を停止させる。
以上で、制御部１６が行うダビング停止処理が終了する。
【００８０】
以上のように、ダビング中の記録装置２が有する最大記録速度の中に停止対象である記録装置２の最大記録速度より遅いものが存在する場合は、ダビング速度が変更されずに、データのダビングが継続される。
【００８１】
４．具体例４
次に、記録動作を停止している記録装置２Ｃの記録動作をデータのダビング中に開始させる場合について説明する。なお、記録装置２Ａ及び２Ｂは、データの記録を行っている。
【００８２】
始めに、オーディオシステムの利用者は、ダビング先の記録媒体を追加するために、再生装置１の入力部１１を所定の手順で操作し、データの記録動作を開始させる開始対象の記録装置２を選択する。この場合、利用者は、記録装置２Ｃを選択する。
【００８３】
入力部１１は、利用者の操作に従って、利用者が選択した開始対象の記録装置２Ｃを示す追加信号を制御部１６に出力する。
制御部１６は、入力部１１から供給される追加信号に応答して、図５に示す媒体追加処理を開始する。
【００８４】
始めに、制御部１６は、再生装置１に接続されている記録装置２の内の１つについて、上記追加信号が示す開始対象の記録装置２であるか否かを判別する（ステップＳ３０１）。具体的には、制御部１６は、記憶部１５が記憶している装置情報を用いて最大記録速度が最も遅い記録装置２Ｃを判別し、記録装置２Ｃが開始対象の記録装置２であるか否かを判別する。
【００８５】
この場合、制御部１６は、記録装置２Ｃは開始対象の記録装置２であると判別し（ステップＳ３０１；ＹＥＳ）、記録装置２Ｃが有する最大記録速度ｃをダビング速度として設定し直す（ステップＳ３０２）。
【００８６】
そして、制御部１６は、開始対象であると判別した記録装置２Ｃの記録動作を開始させる（ステップＳ３０５）。具体的には、制御部１６は、記録動作の開始を指示する記録開始信号を送受信部１３を介して記録装置２Ｃに出力し、記録装置２Ｃの記録動作を開始させる。
以上で、制御部１６が行う媒体追加処理が終了する。
【００８７】
以上のように、ダビングの途中で記録動作を開始する記録装置２の最大記録速度が既に記録動作を行っている記録装置２の最大記録速度よりも遅い場合は、ダビング速度が変更される。これにより、ダビングの途中で新たな記録装置２の記録動作を開始させても、データのダビングを最適な速度で効率よく継続することができる。
【００８８】
５．具体例５
次に、記録動作を停止している記録装置２Ｂの記録動作をデータのダビング中に開始させる場合について説明する。なお、記録装置２Ａ及び２Ｃは、データの記録を行っている。
【００８９】
始めに、オーディオシステムの利用者は、上記と同様に、ダビング先の記録媒体を追加するために、再生装置１の入力部１１を所定の手順で操作し、データの記録動作を開始させる開始対象の記録装置２を選択する。この場合、利用者は、記録装置２Ｂを選択する。
【００９０】
入力部１１は、利用者の操作に従って、利用者が選択した開始対象の記録装置２Ｂを示す追加信号を制御部１６に出力する。
制御部１６は、入力部１１から供給される追加信号に応答して、図５に示す媒体追加処理を開始する。
【００９１】
始めに、制御部１６は、再生装置１に接続されている記録装置２の内の１つについて、上記追加信号が示す開始対象の記録装置２であるか否かを判別する（ステップＳ３０１）。具体的には、制御部１６は、記憶部１５が記憶している装置情報を用いて最大記録速度が最も遅い記録装置２Ｃを判別し、記録装置２Ｃが開始対象の記録装置２であるか否かを判別する。
【００９２】
制御部１６は、記録装置２Ｃは開始対象の記録装置２でないと判別し（ステップＳ３０１；ＮＯ）、記録装置２Ｃがデータを記録中（ダビング中）であるか否かを判別する（ステップＳ３０３）。
制御部１６は、記録装置２Ｃはデータをダビング中であると判別し（ステップＳ３０３；ＹＥＳ）、次に遅い最大記録速度を有する記録装置２Ｂが開始対象の記録装置２であるか否かを判別する（ステップＳ３０４）。
【００９３】
この場合、制御部１６は、記録装置２Ｂは開始対象の記録装置２であると判別し（ステップＳ３０４；ＹＥＳ）、記録装置２Ｂの記録動作を開始させる（ステップＳ３０５）。具体的には、制御部１６は、記録動作の開始を指示する記録開始信号を送受信部１３を介して記録装置２Ｂに出力し、記録装置２Ｂの記録動作を開始させる。
以上で、制御部１６が行う媒体追加処理が終了する。
【００９４】
以上のように、ダビング中の記録装置２が有する最大記録速度の中に開始対象である記録装置２の最大記録速度よりも遅いものが存在する場合は、ダビング速度が変更されずに、データのダビングが継続される。
【００９５】
なお、特定の記録装置２が行う記録動作をダビングの途中で停止させる際、オーディオシステムの利用者は、再生装置１の入力部１１ではなく、記録動作を停止させる記録装置２の操作部２１を操作してもよい。この場合、操作部２１は、記録動作を停止する記録装置２を識別するための情報をダビング停止信号として、送受信部２２を介して再生装置１に送信する。再生装置１の制御部１６は、送受信部１３を介してダビング停止信号を受信し、図４のダビング停止処理を開始する。
【００９６】
また、特定の記録装置２が行う記録動作をダビングの途中で開始させる際にも、オーディオシステムの利用者は、再生装置１の入力部１１ではなく、記録動作を停止させる記録装置２の操作部２１を操作してもよい。この場合、操作部２１は、記録動作を開始する記録装置２を識別するための情報を追加信号として、送受信部２２を介して再生装置１に送信する。再生装置１の制御部１６は、送受信部１３を介して追加信号を受信し、図５の媒体追加処理を開始する。
【００９７】
また、再生部１２がデータを再生できる最大の再生速度は、再生装置１に接続される記録装置２の最大記録速度より遅くてもよい。この場合、再生装置１の制御部１６は、再生部１２の最大再生速度よりも遅い最大記録速度を有する記録装置２を判別し、判別した記録装置２について上記した各処理を行う。また、再生装置１の制御部１６は、再生部１２の最大再生速度より遅い最大記録速度を有する記録装置２が存在しない場合、最大再生速度をダビング速度として設定する。このようにしても、再生装置１に収納された記録媒体に記録されている所定のデータを効率よくダビングすることができる。
【００９８】
また、上記実施の形態では、再生装置１の制御部１６がデータのダビングに関わる動作を制御したが、ダビング速度を設定するための処理を行う装置を再生装置１とは別に設けてもよい。また、記録装置２の内の少なくとも１つが、ダビング速度を設定するための処理を行う装置を備えてもよい。
【００９９】
また、本発明の装置は、専用の装置を用いる必要はなく、通常のコンピュータにより実現することができる。例えば、コンピュータに上記した各処理を実行させるためのプログラム及びデータを記録媒体（フロッピーディスク、ＣＤ−ＲＯＭ等）に記録して配布し、これをインストールしてＯＳ上で実行することにより、この発明の装置を実現できる。
また、プログラム及びデータの配布は、ＣＤ−ＲＯＭ等に限らず、通信回線等を介して行われてもよい。
【０１００】
【発明の効果】
以上の説明から明らかなように、本発明によって、効率よくデータのダビングを行うことができる。
【図面の簡単な説明】
【図１】本発明の実施の形態にかかるオーディオシステムの構成図である。
【図２】（ａ）は、図１のオーディオシステムを構成する再生装置の構成図であり、（ｂ）は、図１のオーディオシステムを構成する記録装置の構成図である。
【図３】図２（ａ）に示す再生装置を構成する制御部が行うダビング処理を示すフローチャートである。
【図４】図２（ａ）に示す再生装置を構成する制御部が行うダビング停止処理を示すフローチャートである。
【図５】図２（ａ）に示す再生装置を構成する制御部が行う媒体追加処理を示すフローチャートである。
【図６】本発明の実施の形態にかかるオーディオシステムの構成例を示す図である。
【符号の説明】
１    再生装置
２    記録装置
１１  入力部
１２  再生部
１３  送受信部
１４  表示部
１５  記憶部
１６  制御部
２１  操作部
２２  送受信部
２３  記録部
２４  制御部
【図１】
0003689779.tif 000002
【図２】
0003689779.tif 000003
【図３】
0003689779.tif 000004
【図４】
0003689779.tif 000005
【図５】
0003689779.tif 000006
【図６】
0003689779.tif 000007